(57)【特許請求の範囲】
【請求項１】
接続先と通信する第１の通信部と、
前記接続先と通信する前記第１の通信部と比べて消費電力の少ない第２の通信部と、
電池の残量の値を信号として出力する電池監視部と、
通信機の起動時、前記第１の通信部の動作中、および前記第１の通信部が動作停止した待機状態からの復帰時に、前記電池監視部が出力する値が所定の値以上であれば前記第１の通信部を動作させ、前記電池監視部が出力する値が所定の値より小さければ前記第１の通信部の動作を停止して前記第２の通信部を動作させる制御部とを備えることを特徴とする通信機。
【請求項２】
前記通信機は、
前記第１の通信部と前記第２の通信部に通信可能に接続され、かつ前記第１の通信部および前記第２の通信部の前記接続先とは別の接続先と通信する第３の通信部を更に備えることを特徴とする、請求項１に記載の通信機。
【請求項３】
請求項１に記載の通信機と、
前記接続先とを備えることを特徴とする通信システム。
【請求項４】
通信機の起動時、第１の通信部の動作中、および前記第１の通信部が動作停止した待機状態からの復帰時に、電池の残量の値が所定の値以上であれば前記第１の通信部が動作し、前記電池の残量の値が所定の値より小さければ前記第１の通信部の動作を停止して前記第１の通信部と比べて消費電力の少ない第２の通信部が動作することを特徴とする通信方法。
【請求項５】
通信機の起動時、第１の通信部の動作中、および前記第１の通信部が動作停止した待機状態からの復帰時に、電池の残量の値が所定の値以上であれば前記第１の通信部が動作し、前記電池の残量の値が所定の値より小さければ前記第１の通信部の動作を停止して前記第１の通信部と比べて消費電力の少ない第２の通信部が動作することをコンピュータに実行させるプログラム。
【発明の詳細な説明】
【技術分野】
【０００１】
本発明は、通信機、通信システム、通信方法およびプログラムに関するものである。
【背景技術】
【０００２】
近年、スマートホンやタブレットと呼ばれる電子情報機器の普及に伴い、ＷＡＮ（Wide Area Network）とＬＡＮ（Local Area Network）とを中継する、モバイルルータと呼ばれる、持ち運び用の無線中継器が多く使われるようになった。
【０００３】
このモバイルルータは、持ち運ばれている間は電池で駆動されるため動作時間が限られる。そこで、電池による動作時間を長時間化する方法が用いられている。
【０００４】
例えば、モバイルルータが一定時間通信していないと、ＣＰＵ（Central Processing Unit；中央処理装置）のクロック速度を低速化して消費電力を抑制する方法がある。或いは、モバイルルータの動作状況に変化が無く一定時間経過すると、液晶表示装置の表示を一時停止して消費電力を抑制する方法もある。更に、使用者がハードウェアスイッチや初期設定ソフトウェアを用いて入力することにより、モバイルルータのＣＰＵのクロック速度を低速化する等の設定が可能になっているものもある。
【０００５】
また、ＬＡＮの通信手段にIEEE（The Institute of Electrical and Electronics Engineers,Inc.）が定めるIEEE802.11に基づく無線ＬＡＮとBluetooth（登録商標）（以下、ＢＴ）を有するモバイルルータがある。このようなモバイルルータでは、使用者の設定によりＢＴを選択して消費電力を抑制することが出来る。
【０００６】
上記の様にＬＡＮの通信手段に無線ＬＡＮとＢＴを有するモバイルルータには、次のような機能をもつものがある。即ち、モバイルルータが一定時間使用されないと、ＷＡＮと無線ＬＡＮが停止し、消費電力が少ないＢＴだけが無線の待ち受け状態となり、ＢＴで起動信号を受信すると再びモバイルルータ全体が起動（Wakeup）するものがある。
【０００７】
特許文献１によれば、情報処理装置が２つの通信デバイス（例えば無線ＬＡＮとＢＴ）を備え、装置本体の電源がオフ状態の待機中はWakeupに必要な方だけに電源を供給することで、無駄な電力消費を避けながらWakeupを待機することができる。
【先行技術文献】
【特許文献】
【０００８】
【特許文献１】特開2004-038295号公報
【発明の概要】
【発明が解決しようとする課題】
【０００９】
しかし、特許文献１に示される方法によると、装置がWakeupした時に電池残量に関係なく、全ての通信デバイスに電源が入るため、Wakeup後の装置の電池駆動による動作時間を長時間化する効果はない。
【００１０】
本発明の通信機は、電池残量が少ない場合に、消費電力の少ない通信デバイスを選択することで、電池駆動による長時間動作を実現する事を目的とする。
【課題を解決するための手段】
【００１１】
上記の目的を達成するために、本発明の通信機は、接続先と通信する第１の通信部と、前記接続先と通信する前記第１の通信部と比べて消費電力の少ない第２の通信部と、電池の残量の値を信号として出力する電池監視部と、前記電池監視部が出力する値が所定の値以上であれば前記第１の通信部を動作させ、前記電池監視部が出力する値が所定の値より小さければ前記第１の通信部の動作を停止して前記第２の通信部を動作させる制御部とを備える。
【発明の効果】
【００１２】
本発明によれば、通信機は電池残量が少ない場合に、消費電力の少ない通信デバイスを選択することで、電池駆動による長時間動作を実現することができる。
【図面の簡単な説明】
【００１３】
【図１】第１の実施形態の構成例を示す図である。
【図２】第１の実施形態の動作を説明する図である。
【図３】第２の実施形態の構成例を示す図である。
【図４】第２の実施形態の動作を説明する図である。
【図５】第２の実施形態の動作を説明する図である。
【図６】第３の実施形態の構成例を示す図である。
【発明を実施するための形態】
【００１４】
［第１の実施形態］
次に、本発明の実施の形態について図面を参照して詳細に説明する。
［構成の説明］
図１に第１の実施形態の構成を示す。
【００１５】
本実施形態の無線通信機１００は、モバイルルータである。無線通信機１００は、ＷＡＮ無線部１０１、無線ＬＡＮ部１０２、ＢＴ無線部１０３、電池監視部１０４、電池１０５、制御部１０６、および記憶部１０７から構成される。
【００１６】
ＷＡＮ無線部１０１は、ＰＬＭＮ（public land mobile network；地上波公共移動通信ネットワーク）の基地局と無線で通信するＷＡＮ通信用の回路である。ＷＡＮ無線部１０１とＰＬＭＮの基地局の通信には、IMT-2000（International Mobile Telecommunication 2000)、LTE（Long Term Evolution）、WiMAX（Worldwide Interoperability for Microwave Access）などの通信方式を用いる。
【００１７】
また、無線ＬＡＮ部１０２は、スマートホンやタブレット端末などの子機と無線ＬＡＮで通信するＬＡＮ通信用の回路である。この無線ＬＡＮ部１０２の通信方式は、無線ＬＡＮの規格であるIEEE（The Institute of Electrical and Electronics Engineers,Inc.）が定めるIEEE802.11とする。
【００１８】
そして、ＢＴ無線部１０３は、スマートホンやタブレット端末などの子機とＢＴで通信するＬＡＮ通信用の回路である。このＢＴ無線部１０３は、無線ＬＡＮ部１０２と比べて通信速度が遅く、電波の到達距離も短いが、消費電力は通信中も通信待機中も一般的に明らかに小さい。
【００１９】
更に、電池監視部１０４は電池１０５の残りの容量を監視して数値化した信号を出力する回路であり、電池１０５は無線通信機１００に電源を供給する蓄電池や乾電池である。また、制御部１０６は無線通信機１００の各構成要素を制御するＣＰＵであり、記憶部１０７は情報を記憶するための記憶素子である。
［動作の説明］
次に、本実施形態の動作について図２を参照して詳細に説明する。
【００２０】
図２において、無線通信機１００に電源が投入され無線通信機１００が動作を開始する。この動作開始の時点では、ＷＡＮ無線部１０１、無線ＬＡＮ部１０２、ＢＴ無線部１０３のいずれの無線部にも電源は供給されていない。
【００２１】
無線通信機１００が動作を開始すると、制御部１０６はＬＡＮ自動切換モードか否かを判断する（Ｓ１０１）。このＬＡＮ自動切換モードでは、電池１０５の残量に応じて、ＬＡＮの通信を無線ＬＡＮとするかＢＴとするかの選択が自動で行われる。そして、ＬＡＮ自動切換モードでない場合は、無線通信機１００の使用者がＬＡＮの通信を無線ＬＡＮとするかＢＴとするかを手動で選択する。ＬＡＮ自動切換モードか否かの設定情報は、使用者がモバイルルータ本体のキーボード等の入力手段、またはスマートホンやタブレット端末などの外部機器から専用アプリケーションなどを用いて、予め記憶部１０７に記憶しておく。そして、制御部１０６は、記憶部１０７のこの設定情報に従ってＬＡＮ自動切換モードか否かを判断する（Ｓ１０１）。
【００２２】
ステップＳ１０１で制御部１０６がＬＡＮ自動切換モードでないと判断すると（Ｓ１０１でＮ）ステップＳ１０７にすすむ。ステップＳ１０７では、制御部１０６はＬＡＮ通信用の無線部として無線ＬＡＮ部１０２を選択して、制御部１０６は無線ＬＡＮ部１０２の電源をオンにする。そして、無線ＬＡＮ部１０２に電源が供給され、無線ＬＡＮ部１０２は子機と接続して通信できる状態となる（Ｓ１０７）。次いで、制御部１０６はＷＡＮ無線部１０１の電源をオンにして、ＷＡＮ無線部１０１にも電源が供給され、ＷＡＮ無線部１０１はＷＡＮの基地局と接続して通信準備が完了する（Ｓ１０８）。
【００２３】
一方、ステップＳ１０１で、制御部１０６がＬＡＮ自動切換モードであると判断すると（Ｓ１０１でＹ）ステップＳ１０２にすすむ。ステップＳ１０２では、制御部１０６は電池監視部１０４が電池残量として出力する信号の値が、記憶部１０７に予め記憶されている電池残量の設定値以上か否かを判断する（Ｓ１０２）。ここで記憶部１０７にあらかじめ記憶されている電池残量の設定値は、記憶部１０７に最初から記憶されていても良いし、使用者が任意の設定値を記憶させることが出来ても良い。
【００２４】
ステップＳ１０２で電池残量が設定値以上と判断されると（ステップＳ１０２でＹ）ステップＳ１０３にすすみ、ステップＳ１０２で電池残量が設定値以上でないと判断されると（ステップＳ１０２でＮ）ステップＳ１０６にすすむ。
【００２５】
ステップＳ１０３では、制御部１０６はＬＡＮの無線部として無線ＬＡＮ部１０２を選択して、制御部１０６は無線ＬＡＮ部１０２の電源をオンにする。そして、無線ＬＡＮ部１０２に電源が供給され、無線ＬＡＮ部１０２は子機と接続して通信できる状態となる（Ｓ１０３）。次いで、制御部１０６はＷＡＮ無線部１０１の電源をオンにして、ＷＡＮ無線部１０１にも電源が供給され、ＷＡＮ無線部１０１はＷＡＮの基地局と接続して通信する準備が完了する（Ｓ１０４）。  ステップＳ１０４で無線ＬＡＮ部１０２に続きＷＡＮ無線部１０１にも電源が入ると、制御部１０６は電池監視部１０４が電池残量として出力する信号の値が、記憶部１０７に予め記憶されている電池残量の設定値以上か否かを判断する（Ｓ１０５）。ステップＳ１０５で電池残量が設定値以上と判断されると（ステップＳ１０５でＹ）ステップＳ１０５に戻り、ステップＳ１０５で電池残量が設定値以上でないと判断されると（ステップＳ１０５でＮ）ステップＳ１０６にすすむ。
【００２６】
一方、ステップＳ１０６では制御部１０６はＬＡＮの無線部としてＢＴ無線部１０３を選択して、制御部１０６はＢＴ無線部１０３の電源をオンにする。そして、ＢＴ無線部１０３に電源が供給され、ＢＴ無線部１０３は子機と接続して通信できる状態となる（Ｓ１０６）。次に、制御部１０６はＷＡＮ無線部１０１の電源をオンにして、ＷＡＮ無線部１０１にも電源が供給され、ＷＡＮ無線部１０１はＷＡＮの基地局と接続して通信する準備が完了する（Ｓ１０７）。
【００２７】
尚、ＷＡＮ、無線ＬＡＮ、ＢＴの接続および通信の手順は、モバイルルータやスマートホンで一般的に行われているため、詳細の説明は省略する。
【００２８】
以上説明した様に、本実施形態に示す無線通信機１００は電池残量が少ない場合に、ＬＡＮ通信用の無線部として無線ＬＡＮ部１０２を使用せず、ＢＴ無線部１０３を使用する。一般に、ＢＴは無線ＬＡＮと比べて、通信速度は遅いが通信で消費される電力が極めて小さい。無線通信機１００の電池残量が少なくなった場合、通信速度は遅くなっても通信が継続出来た方が実用上好ましい。
【００２９】
以上のようにして、本実施形態の無線通信機１００は、電池残量が少なくなった場合にＬＡＮ側通信手段として無線ＬＡＮより消費電力の少ない通信デバイスであるＢＴを選択することで、電池駆動による長時間動作を実現することができる。
［第２の実施形態］
次に、本発明の実施の形態について図面を参照して詳細に説明する。
［構成の説明］
図３に第２の実施形態の構成を示す。
【００３０】
本実施形態の無線通信機１００は、モバイルルータであり、第１の実施形態で示した図１の構成に加えて、計時部１０８を備える。計時部１０８は時間を計時して時間の値を信号として出力する計時回路である。
［動作の説明］
次に、本実施形態の動作について図４および図５を参照して詳細に説明する。
【００３１】
図４では無線通信機１００が動作を開始し、後述のスリープ状態になるまでの動作を示し、図５ではスリープ状態の無線通信機１００が後述のWakeup信号を受信してから通信を開始する動作を説明する。
【００３２】
まず、図４において、無線通信機１００に電源が投入され動作を開始し、子機であるスマートホンやタブレット端末と、無線ＬＡＮ部１０２またはＢＴ無線部１０３が接続し通信を開始する（Ｓ２０１）。ここで、ＬＡＮの通信手段として無線ＬＡＮを用いるか、ＢＴを用いるかは使用者が予め設定しているものとする。
【００３３】
ステップＳ２０１に次いで、ＷＡＮ無線部１０１がＷＡＮの接続および通信を開始する（Ｓ２０２）。ステップＳ２０２の後、制御部１０６は、ＷＡＮ無線部１０１、無線ＬＡＮ部１０２およびＢＴ無線部１０３のどれかが通信中かどうかを判断する（Ｓ２０３）。
【００３４】
ステップＳ２０３で、制御部１０６がＷＡＮ無線部１０１、無線ＬＡＮ部１０２およびＢＴ無線部１０３のどれかが通信中であると判断すると（Ｓ２０３でＹ）ステップＳ２０３にもどる。一方、ステップＳ２０３で、制御部１０６がＷＡＮ無線部１０１、無線ＬＡＮ部１０２およびＢＴ無線部１０３のどれも通信中でないと判断すると（Ｓ２０３でＮ）、計時部１０８は計時をリセットして時間を計り始める（Ｓ２０４）。
【００３５】
ステップＳ２０４に続いて、制御部１０６は、ＷＡＮ無線部１０１、無線ＬＡＮ部１０２およびＢＴ無線部１０３のどれかが通信中かどうかを判断する（Ｓ２０５）。ステップＳ２０５で、制御部１０６がＷＡＮ無線部１０１、無線ＬＡＮ部１０２およびＢＴ無線部１０３のどれかが通信中であると判断すると（Ｓ２０５でＹ）ステップＳ２０３にもどる。一方、ステップＳ２０５で、制御部１０６がＷＡＮ無線部１０１、無線ＬＡＮ部１０２およびＢＴ無線部１０３のどれも通信中でないと判断すると（Ｓ２０５でＮ）、ステップＳ２０６にすすむ。
【００３６】
ステップＳ２０６では、制御部１０６は、計時部１０４が計時する時間と、予め記憶部１０７に記憶されている設定時間と比較し、設定時間になったかどうかを判断する（Ｓ２０６）。ステップＳ２０６で、制御部１０６が設定時間でないと判断すると（Ｓ２０６でＮ）ステップＳ２０５に戻る。一方、ステップＳ２０６で制御部１０６が設定時間であると判断すると（Ｓ２０６でＹ）、制御部１０６は、ＷＡＮ無線部１０１と無線ＬＡＮ部１０２の電源供給を停止し（Ｓ２０７）、無線通信機１００はスリープ状態になる。
【００３７】
このように、無線通信機１００が通信をしないとスリープ状態になる事で、無駄な電力消費を低減することが出来る。しかし、通信が途絶えると直ちに無線通信機１００がスリープ状態になってしまうと、通信の瞬断でもスリープ状態となってしまい、使用に不都合である。そこで、無線通信機１００が通信をしないと一定時間後にスリープ状態となる様に、一定時間を計時するのが計時部１０８である。
【００３８】
尚、無線通信機１００が通信をしないと一定時間後にスリープ状態になること、および無線ＬＡＮの電源供給を停止して、消費電力が無線ＬＡＮより少ないＢＴを動作させて待機することは、市販のモバイルルータで一般的に行われている。  次に図５を用いて、無線通信機１００がスリープ状態から、Wakeup信号を受信して無線通信を開始する動作を説明する。
【００３９】
無線通信機１００がスリープ状態であると、ＷＡＮ無線部１０１と無線ＬＡＮ部１０２の電源供給は停止され、無線部としてはＢＴ無線部１０３だけが動作している。そして、スマートホンやタブレット端末などの子機から、無線通信機１００が通信を開始することを指示するＢＴによるWakeup信号を、ＢＴ無線部１０３が受信すると無線通信機１００は起動して（Ｓ３０１）、ステップＳ３０２にすすむ。
【００４０】
ここで、スマートホンやタブレット端末などの子機が無線通信機１００に対してＢＴによるWakeup信号を送信し、無線通信機１００が起動することは、市販のモバイルルータで一般的に行われている。  ステップＳ３０２で、制御部１０６はＬＡＮ自動切換モードか否かを判断する（Ｓ３０２）。このＬＡＮ自動切換モードを使用するか否かの設定情報は、使用者がモバイルルータ本体のキーボード等の入力手段、またはスマートホンやタブレット端末などの外部機器から専用アプリケーションなどを用いて、予め記憶部１０７に記憶しておく。そして、ステップＳ３０２で制御部１０６は記憶部１０７の設定情報に従って、無線通信機１００がＬＡＮ自動切換モードか否かを判断する（Ｓ３０２）。
【００４１】
ステップＳ３０２で、制御部１０６がＬＡＮ自動切換モードであると判断すると（Ｓ３０２でＹ）ステップＳ３０３にすすみ、ステップＳ３０２で、制御部１０６がＬＡＮ自動切換モードでないと判断すると（Ｓ３０２でＮ）ステップＳ３０６にすすむ。
【００４２】
ステップＳ３０３では、制御部１０６は、電池監視部１０４が電池残量として出力する信号の値が記憶部１０７に予め記憶されている電池残量の設定値以上か否かを判断する（Ｓ３０３）。ここで記憶部１０７にあらかじめ記憶されている電池残量の設定値は、記憶部１０７に最初から記憶されていても良いし、使用者が任意の設定値を記憶させることが出来ても良い。
【００４３】
ステップＳ３０３で電池残量が設定値以上でないと判断されると（ステップＳ３０３でＮ）ステップＳ３０４にすすみ、ステップＳ３０３で電池残量が設定値以上と判断されると（ステップＳ３０３でＹ）ステップＳ３０６にすすむ。
【００４４】
ステップＳ３０４では、制御部１０６はＷＡＮ無線部１０１の電源をオンにして、ＷＡＮ無線部１０１に電源が供給され、ＷＡＮ無線部１０１はＷＡＮの基地局と接続する（Ｓ３０４）。次いで、ＷＡＮ無線部１０１、および既に接続中のＢＴ無線部１０３がそれぞれの接続先と通信を開始する（Ｓ３０５）。ステップＳ３０５でＷＡＮ無線部１０１とＢＴ無線部１０３がそれぞれの接続先と通信を開始すると、図４のステップＳ２０３にすすむ。
【００４５】
一方、ステップＳ３０６では、制御部１０６はＷＡＮ無線部１０１と無線ＬＡＮ部１０２の電源をオンにして、ＷＡＮ無線部１０１と無線ＬＡＮ部１０２に電源が供給される。そして、ＷＡＮ無線部１０１と無線ＬＡＮ部１０２が動作を開始して、ＷＡＮ無線部１０１はＷＡＮの基地局と接続し、無線ＬＡＮ部１０２は子機と接続する（Ｓ３０６）。次いで、ＷＡＮ無線部１０１と無線ＬＡＮ部１０２がそれぞれの接続先と通信を開始する（Ｓ３０７）。ステップＳ３０７でＷＡＮ無線部１０１と無線ＬＡＮ部１０２がそれぞれの接続先と通信を開始すると、図４のステップＳ２０３にすすむ。
【００４６】
尚、ステップＳ３０６で、制御部１０６はＢＴ無線部１０３への電源供給を停止すると、更に低消費電力化が可能であるが、その場合は図２のステップＳ２０７で、制御部１０６がＢＴ無線部１０３の電源を入れる動作を追加する。
【００４７】
以上説明したように、本実施形態の無線通信機１００は、Wakeupした時点の電池残量が少ない場合にＬＡＮ側通信手段として無線ＬＡＮより消費電力の少ないＢＴを選択することで、電池駆動による長時間動作を実現することができる。
［第３の実施形態］
次に、第３の実施の形態について図を参照して説明する。
【００４８】
本実施形態の通信機２００は、接続先と通信する第１の通信部２０１と、前記接続先と通信する前記第１の通信部と比べて消費電力の少ない第２の通信部２０２と、電池の残量の値を信号として出力する電池監視部２０４とを備える。更に、通信機２００は制御部２０３を備える。そして、制御部２０３は前記電池監視部２０４が出力する値が所定の値以上であれば前記第１の通信部２０１を動作させる。更に、制御部２０３は、前記電池監視部２０４が出力する値が所定の値より小さければ前記第１の通信部２０１の動作を停止して前記第２の通信部２０２を動作させる。
【００４９】
このようにすることで、無線通信機２００は電池残量が少ない場合に、消費電力の少ない通信部を選択することで、電池駆動による長時間動作を実現することができる。
【００５０】
以上、本発明の好適な実施形態を説明したが、上記実施形態に限定されるものではなく、次のように拡張または変形できる。
【００５１】
上記の実施形態および変形例で述べた無線通信機は、有線通信機であっても良い。その場合、ＷＡＮ無線部１０１は有線ＷＡＮ通信部、無線ＬＡＮ部１０２は消費電力の多いＬＡＮ通信部、ＢＴ無線部１０３は消費電力の少ないＬＡＮ通信部として構成される。
【００５２】
また、上記の実施形態および変形例で述べた無線通信機は、固定式無線ＬＡＮルータのように、ＷＡＮ無線部１０１が有線通信部に替わり、無線ＬＡＮ部１０２とＢＴ無線部１０３はそのままの構成も可能である。
【００５３】
更に、上記の実施形態および変形例で述べた無線通信機１００の構成の内、ＷＡＮ無線部１０１を備えず、通信手段として無線ＬＡＮ部１０２とＢＴ無線部１０３のみを備えるタブレット端末も普及している。このような無線通信機は、無線ＬＡＮとＢＴの通信手段を持つＬＡＮルータに接続する子機として機能する。そして、この子機が第１の実施形態および第２の実施形態に示す方法に従って動作することで、子機は電池残量が少ない場合にＬＡＮ側通信手段として無線ＬＡＮより消費電力の少ないＢＴを選択する。その結果、子機は実施形態に示す方法を使用しない場合と比べて、電池駆動による長時間動作を実現することが出来る。
【００５４】
上記の実施形態の一部又は全部は、以下の付記のようにも記載されうるが、以下には限られない。
【００５５】
（付記１）
接続先と通信する第１の通信部と、
前記接続先と通信する前記第１の通信部と比べて消費電力の少ない第２の通信部と、
電池の残量の値を信号として出力する電池監視部と、
前記電池監視部が出力する値が所定の値以上であれば前記第１の通信部を動作させ、前記電池監視部が出力する値が所定の値より小さければ前記第１の通信部の動作を停止して前記第２の通信部を動作させる制御部とを備えることを特徴とする通信機。
【００５６】
（付記２）
接続先と通信する第１の通信部と、
前記接続先と通信する前記第１の通信部と比べて消費電力の少ない第２の通信部と、
電池の残量の値を信号として出力する電池監視部と、
時間を計る計時部と、
前記第１の通信部の通信が終了すると前記計時部が計時を開始し、所定の時間内に前記第１の通信部が通信を開始しなければ前記第１の通信部の動作を停止して前記第２の通信部を動作させ、前記第２の通信部が起動信号を受信し、前記電池監視部が出力する値が所定の値以上であれば前記第１の通信部を動作させる制御部とを備えることを特徴とする通信機。
【００５７】
（付記３）
前記通信機は、
前記第１の通信部と前記第２の通信部に通信可能に接続され、かつ前記第1の通信部および第２の通信部とは別の接続先と通信する第３の通信部を更に備えることを特徴とする、付記１または付記２のいずれかに記載の通信機。
【００５８】
（付記４）
接続先と通信する第１の通信部と、
前記接続先と通信する前記第１の通信部と比べて消費電力の少ない第２の通信部と、
電池の残量の値を信号として出力する電池監視部と、  前記第１の通信部と前記第２の通信部に通信可能に接続され、かつ前記第1の通信部および第２の通信部とは別の接続先と通信する第３の通信部と、
時間を計る計時部と、
前記第１の通信部かつ前記第３の通信部の通信が終了すると前記計時部が計時を開始し、所定の時間内に前記第１の通信部または前記第３の通信部が通信を開始しなければ前記第１の通信部と前記第３の通信部の動作を停止して前記第２の通信部を動作させ、前記第２の通信部が起動信号を受信し、前記電池監視部が出力する値が所定の値より小さければ第３通信部を動作させ、前記第２の通信部が起動信号を受信し、前記電池監視部が出力する値が所定の値以上であれば前記第１の通信部と前記第３の通信部を動作させる制御部とを備えることを特徴とする通信機。
【００５９】
（付記５）
接続先と通信する第１の通信部と、
前記接続先と通信する前記第１の通信部と比べて消費電力の少ない第２の通信部と、
電池の残量の値を信号として出力する電池監視部と、
前記第２の通信部が起動信号を受信し前記電池監視部が出力する値が所定の値以上であれば、前記制御部は更に第２の通信部の動作を停止することを特徴とする付記４に記載の通信機。
【００６０】
（付記６）
付記１または付記２のいずれかに記載の通信機と、
前記接続先とを備えることを特徴とする通信システム。
【００６１】
（付記７）
付記３乃至付記５のいずれかに記載の通信機と、
前記接続先と、
前記別の接続先とを備えることを特徴とする通信システム。
【００６２】
（付記８）
電池の残量の値が所定の値以上であれば第１の通信部が動作し、前記電池の残量の値が所定の値より小さければ前記第１の通信部の動作を停止して前記第１の通信部と比べて消費電力の少ない第２の通信部が動作することを特徴とする通信方法。
【００６３】
（付記９）
第１の通信部の通信が終了して所定の時間内に前記第１の通信部が通信を開始しなければ前記第１の通信部の動作を停止して前記第１の通信部と比べて消費電力の少ない第２の通信部が動作し、前記第２の通信部が起動信号を受信し、前記電池の残量の値が所定の値以上であれば前記第１の通信部が動作することを特徴とする通信方法。
【００６４】
（付記１０）
第１の通信部かつ第３の通信部の通信が無くなると計時部が計時を開始し、所定の時間内に前記第１の通信部または前記第３の通信部が通信を開始しなければ前記第１の通信部と前記第３の通信部の動作を停止して前記第１の通信部と比べて消費電力の少ない第２の通信部が動作し、前記第２の通信部が起動信号を受信し電池監視部が出力する値が所定の値より小さければ前記第３の通信部が動作し、前記第２の通信部が起動信号を受信し前記電池監視部が出力する値が所定の値以上であれば前記第１の通信部と前記第３の通信部が動作することを特徴とする通信方法。
【００６５】
（付記１１）
前記第２の通信部が起動信号を受信し前記電池監視部が出力する値が所定の値以上であれば更に第２の通信部の動作を停止することを特徴とする付記１０に記載の通信方法。
【００６６】
（付記１２）
電池の残量の値が所定の値以上であれば第１の通信部が動作し、前記電池の残量の値が所定の値より小さければ前記第１の通信部の動作を停止して前記第１の通信部と比べて消費電力の少ない第２の通信部が動作することを特徴とする通信機のプログラム。
【００６７】
（付記１３）
第１の通信部の通信が終了して所定の時間内に前記第１の通信部が通信を開始しなければ前記第１の通信部の動作が停止して前記第１の通信部と比べて消費電力の少ない第２の通信部が動作し、前記第２の通信部が起動信号を受信し、電池の残量の値が所定の値以上であれば前記第１の通信部が動作することを特徴とする通信機のプログラム。
【００６８】
（付記１４）
第１の通信部かつ第３の通信部の通信が無くなると前記計時部が計時を開始し、所定の時間内に前記第１の通信部または前記第３の通信部が通信を開始しなければ前記第１の通信部と前記第３の通信部の動作が停止して前記第１の通信部と比べて消費電力の少ない第２の通信部が動作し、前記第２の通信部が起動信号を受信し電池監視部が出力する値が所定の値より小さければ前記第３の通信部がを動作し、前記第２の通信部が起動信号を受信し前記電池監視部が出力する値が所定の値以上であれば前記第１の通信部と前記第３の通信部がを動作することを特徴とする通信機のプログラム。
【００６９】
（付記１５）
前記第２の通信部が起動信号を受信し前記電池監視部が出力する値が所定の値以上であれば、更に第２の通信部の動作を停止することを特徴とする付記１４に記載の通信機のプログラム。
【符号の説明】
【００７０】
１００  無線通信機
１０１  ＷＡＮ無線部
１０２  無線ＬＡＮ部
１０３  ＢＴ無線部
１０４  電池監視部
１０５  電池
１０６  制御部
１０７  記憶部
１０８  計時部
２００  通信機
２０１  第１の通信部
２０２  第２の通信部
２０３  制御部
【図１】
0006475043.tif 000002
【図２】
0006475043.tif 000003
【図３】
0006475043.tif 000004
【図４】
0006475043.tif 000005
【図５】
0006475043.tif 000006
【図６】
0006475043.tif 000007